(57)【要約】      （修正有）【課題】コンパクトな収納形態として携帯の利便性を向上させることができ、また、多くの表示領域を確保して高い表示機能を得ることができる展示用具を提供する。【解決手段】一面に開口部が形成された箱状の本体２と、前記本体の開口部両側縁のそれぞれに、前記開口部を閉塞する位置と開放する位置との２位置間で移動可能に支持され、前記開口部を閉塞する位置において重畳させられる一対の扉３・４と、これら一対の扉の少なくとも一方の扉と前記本体との間に設けられ、前記一方の扉を前記本体の側縁に沿った軸線周りに回転可能に支持する揺動片６とを備えていることを特徴とする。【選択図】図３
2019047964.tif 000002
【特許請求の範囲】
【請求項１】
一面に開口部が形成された箱状の本体と、前記本体の開口部両側縁のそれぞれに、前記開口部を閉塞する位置と開放する位置との２位置間で移動可能に支持され、前記開口部を閉塞する位置において重畳させられる一対の扉と、これら一対の扉の少なくとも一方の扉と前記本体との間に設けられ、前記一方の扉を前記本体の側縁に沿った軸線周りに回転可能に支持する揺動片とを備えていることを特徴とする展示用具。
【請求項２】
前記揺動片が、前記本体と前記一対の扉の両方の扉との間に設けられていることを特徴とする請求項１に記載の展示用具。
【請求項３】
前記揺動片の一端部が、前記本体の、前記側縁と交差する他の側縁に揺動可能に連結され、前記揺動片の他端部に、前記扉が回転可能に連結されていることを特徴とする請求項１または請求項２に記載の展示用具。
【請求項４】
前記扉の表裏面の少なくとも一面に表示部が形成されていることを特徴とする請求項１ないし請求項３の何れかに記載の展示用具。
【請求項５】
請求項１ないし請求項４の何れかに記載の展示用具が卓上型の展示用具であり、前記一対の扉の下部に、前記卓上に接触させられる支持脚がそれぞれ設けられていることを特徴とする展示用具。
【請求項６】
請求項１ないし請求項４の何れかに記載の展示用具が壁掛け型の展示用具であり、前記壁に係止部材が設けられ、前記本体の前記開口部と反対側の裏面に、前記係止部材に係合させられるフックが設けられていることを特徴とする展示用具。
【請求項７】
前記係止部材が、前記壁の面方向に間隔をおいて複数設けられていることを特徴とする請求項６に記載の展示用具。
【発明の詳細な説明】
【技術分野】
【０００１】
本発明は、展示用具に係わり、特に、携帯に適し、展示スペースが少なくて済む展示用具に関するものである。
【背景技術】
【０００２】
従来、この種の展示用具が、たとえば、特許文献１において提案されている。
【０００３】
この展示用具は、仏壇として用いるようにしたもので、
仏壇本体の天板部に左右一対の観音扉を枢着し、前記仏壇本体に額縁装着用空間を確保し、この額縁装着用空間内に、複数枚の遺影などの写真類を前後に重ねた状態で収納するようにしたものである。
【先行技術文献】
【特許文献】
【０００４】
【特許文献１】特開２０１２−８１２０５号公報
【発明の概要】
【発明が解決しようとする課題】
【０００５】
ところで、前述した従来の展示用具では、額縁装着用空間内の写真類を前後で入れ替えることによって複数の写真類を選択的に展示可能とすることにより、複数の写真類を個別に展示することによる展示スペースの拡大を抑制することができる。
【０００６】
しかしながら、このような従来の展示用具においても、なお、つぎのような改善すべき問題点が残されている。
すなわち、従来の展示用具では、複数の展示物（写真類）を選択的に展示するものであるから、展示できる展示物は常に一つであり、複数の展示物を同時に展示することができないという問題点である。
【０００７】
また、展示物を変更する際には、展示されている展示物を引き抜いた後に、この展示物を他の展示物の後ろへ挿入しなければならず、その操作が煩雑であるといった問題点もある。
【０００８】
本発明は、前述した従来の技術において残されている問題点を解決せんとしてなされたもので、複数の展示物を転じ可能にして小型化を図り、また、複数の展示物を同時に展示するとともに、この展示物を容易に変更することの可能な展示用具を提供することを解決すべき課題とする。
【課題を解決するための手段】
【０００９】
本発明の展示用具は、前述した課題を解決するために、一面に開口部が形成された箱状の本体と、前記本体の開口部両側縁のそれぞれに、前記開口部を閉塞する位置と開放する位置との２位置間で移動可能に支持され、前記開口部を閉塞する位置において重畳させられる一対の扉と、これら一対の扉の少なくとも一方の扉と前記本体との間に設けられ、前記一方の扉を前記本体の側縁に沿った軸線周りに回転可能に支持する揺動片とを備えていることを特徴としている。
【００１０】
このように構成された展示用具は、前記両扉を重畳させた状態で前記本体の開口部を閉塞する。
この状態において、前記本体と両扉が一体的にまとめられて携帯等に供される。
【００１１】
そして、前記両扉を開位置に移動させることにより、前記本体の開口部を開放する。
この状態において、前記本体内部が露出させられるとともに、前記各扉の一面が前記本体の開口部の開口方向に向けられる。
【００１２】
ここで、前記本体内部の面と、各扉の面を表示部として利用することができるので、これらの面のそれぞれに異なる展示物を装着することにより、多数の展示物の展示を同時に行なうことができる。
【００１３】
したがって、多数の展示物を個々に展示するのに比べて、その展示スペースを小さくすることができる。
そして、前述したように、扉を閉じた状態でこれらを前記本体と一体的にまとめることができることと相まって、展示用具を小型化することができる。
【００１４】
一方、前記揺動片に取り付けられた一つの扉は、前記揺動片を揺動させることによって、扉全体を前記本体から離間させることができる。
【００１５】
そして、この離間させた扉は、前記揺動片に回転可能に支持されていることにより、この回転により、前記扉の表裏２つの面を、前記本体の開口部の開口方向に選択的に向けることができる。
【００１６】
したがって、前記揺動片に支持された扉の表裏面の２面を表示部として利用することができ、さらに表示部を増やして、展示可能な展示物の種類を増加させることができる。
【００１７】
一方、前記揺動片に支持された扉の表裏面は、この扉を回転させることによって入れ替えることができるので、各面に展示されている展示物を容易に切り替えることができる。
【００１８】
前記揺動片は、前記本体と前記一対の扉の両方の扉との間に設けることができる。
このような構成とすることにより、両扉のそれぞれの表裏面を表示部として用いることができ、展示物の展示数をさらに増やすことができる。
【００１９】
前記揺動片は、その一端部を、前記本体の、前記側縁と交差する他の側縁に揺動可能に連結することによって前記本体に装着され、その他端部に、前記扉が回転可能に連結される。
【００２０】
本発明の展示用具は卓上型として用いられる。
卓上型として用いる場合には、前記一対の扉の下部に、前記卓上に接触させられる支持脚を設けることが好ましい。
【００２１】
このような構成とすることにより、前記両扉を開いた状態において、前記両扉の下部を支持して、安定した支持を得ることができる。
【００２２】
また本発明の展示用具は壁掛け型として用いられる。
壁掛け型として用いる場合には、前記壁に係止部材を設けるとともに、前記本体の前記開口部と反対側の裏面に、前記係止部材に係合させられるフックを設けておく。
【００２３】
このような構成とすることにより、展示用具を壁に取り付けて、壁に多様な展示物を展示することができる。
【００２４】
前記係止部材は、前記壁の面方向に間隔をおいて複数設けておくことにより、壁に対する前記展示用具の取り付け位置の多様化を図ることができる。
【発明の効果】
【００２５】
本発明の展示用具によれば、収納時において、本体と両扉を重畳させておくことによりコンパクトな収納形態とすることができるとともに、携帯の利便性を向上させることができる。
また、本体内面と、少なくとも一方の扉の両面、および、他方の扉の一面に表示部を設けることができるので、多くの表示領域を確保して高い表示機能を得ることができる。
さらに、前記一方の扉を単に回転させるといった簡便な操作で前記一方の表裏面を入れ替えることができ、展示物の切り替えも容易である。
【図面の簡単な説明】
【００２６】
【図１】本発明の一実施形態を示すもので、展示用具の閉じた状態を示す正面図である。
【図２】本発明の一実施形態を示すもので、展示用具の閉じた状態を示す平面図である。
【図３】本発明の一実施形態を示すもので、展示用具の開いた状態を示す正面図である。
【図４】本発明の一実施形態を示すもので、展示用具の開いた状態を示す平面図である。
【図５】本発明の一実施形態を示すもので、使用状態の展示用具の開いた状態を示す正面図である。
【図６】本発明の一実施形態を示すもので、使用状態の展示用具の開いた状態を示す正面図である。
【図７】本発明の他の実施形態を示すもので、展示用具の閉じた状態を示す背面図である。
【図８】本発明の他の実施形態を示すもので、要部の一部拡大縦断面図である。
【図９】本発明の他の実施形態を示すもので、使用状態を示す正面図である。
【図１０】本発明の本体と扉との連結構造の変形例を示すもので、分解した状態を示す正面図である。
【図１１】本発明の本体と扉との連結構造の変形例を示すもので、分解した状態を示す正面図である。
【図１２】本発明の壁掛けに用いられる係止部材の変形例を示す正面図である。
【図１３】図１２のＸＩＩＩ−ＸＩＩＩ線断面図である。
【図１４】図１３の係止部材の使用例を示す縦断面図である。
【発明を実施するための形態】
【００２７】
以下、本発明の一実施形態について、図１ないし図６を参照して説明する。
これらの図において符号１は、本実施形態に係わる展示用具を示し、本実施形態においては卓上型の仏壇として用いられる展示用具１を示してある。
【００２８】
本実施形態の展示用具１は、一面に開口部２ａを有する箱形の本体２と、この本体２の左右の両側縁部に装着された一対の扉３・４とを備え、これらの本体２、および、両扉３・４は、正面視で同一形状となされている。
【００２９】
前記本体２は、その内部に前記開口部２ａによって開放された収納凹部Ａが形成されているとともに、その底面が表示部Ｂとなされている。
【００３０】
前記本体２の正面視で右側に装着される扉４は、前記本体２の右側縁部に装着されている一対の蝶番５を介して、前記本体２に対し、その右側縁（すなわち上下方向）に沿った軸線周りに回動可能に支持されている。
【００３１】
また、前記扉４は前記本体２の開口部２ａに重畳させられるように回動させられて、図２に示すように、この開口部２ａを閉塞し、前記開口部２ａから離間する方向に回動させられることにより、図３に示すように、前記開口部２ａを開放するようになっている。
【００３２】
さらに、前記扉４は、前記開口部２ａを開放する位置に回動させられた状態において、その一面が、前記開口部２ａの開口方向へ向けられるようになされ、この面が、任意の写真や絵、あるいは、図柄等の展示物が装着される表示部Ｃとなされている。
【００３３】
前記本体２の正面視で左側に装着される扉４は、前記本体２の左側側縁部に装着された揺動片６を介して、前記本体２に対し、その左側縁に沿った軸線周りに回動可能に支持されている。
【００３４】
前記揺動片６は、その一端部が、前記本体２の側縁部で、かつ、上下方向の各端部近傍のそれぞれに設けられた枢軸７に取り付けられている。
【００３５】
これらの枢軸７は、前記本体２の側縁部（すなわち上下方向）に沿った軸線周りに回動可能となされ、これによって、前記各揺動片６も前記軸線周りに揺動可能となされている。
【００３６】
そして、前記両揺動片６の他端部間に、前記扉４が回動可能に装着されている。
すなわち、前記扉４の上下面で、左右方向の略中間部に枢軸８がそれぞれ突設されており、これらの枢軸８が前記各揺動片６の他端部に回動可能に連結されている。
【００３７】
このように支持された前記扉３は、前記枢軸８周りに回動させられることにより、その表裏面が、前記本体２の開口部２ａの開口方向へ選択的に向けられるようになっており、その表裏面のそれぞれに表示部Ｄ・Ｅが形成されている。
【００３８】
さらに、本実施形態においては、前記両扉３・４の下端面に支持脚９がそれぞれ一体に装着されている。
【００３９】
このように構成された本実施形態の展示用具１は、図１および図２に示すように、前記扉４を、前記本体２の開口部２ａを閉じる位置に回動させ、さらに、前記扉３を、閉じ位置にある前記扉４に重畳させるように回動させることによって畳んだ状態とする。
【００４０】
このように、前記本体２、および、前記扉３・４を畳み込むことにより、前記展示用具１がコンパクトな収納状態となされる。
これによって、携帯の利便性を確保することができる。
【００４１】
一方、展示を行なうには、前記扉３を前記揺動片６とともに回動させて、これらを前記本体２から離間させて、この本体２の左側に展開し、ついで、前記扉４を開方向に回動させて、前記本体２の右側に展開することにより、図３に示すように、両扉３・４を前記本体２の両側に開く。
【００４２】
この状態において、前記本体２内に形成されている前記表示部Ｂが露出させられるとともに、前記各扉３・４に形成されているそれぞれの表示部Ｃ・Ｄが、前記本体２の表示部Ｂと同一方向へ向けられる。
【００４３】
ここで、前記各表示部Ｂ・Ｃ・Ｄに任意の標示物（たとえば写真や絵、あるいは、文字等）を取り付けておくことにより、図５に示すように、異なる３種類の展示物の展示が可能となる。
【００４４】
さらに、仏壇として用いる場合には、前記収納凹部Ａ内に位牌を収納しておくことが可能である。
【００４５】
さらに、図３および図４に鎖線で示すように、前記扉３を前記揺動片６の先端部において回動させることにより、この扉３の表裏面を入れ替えて、図６に示すように、この扉３の他の表示部Ｅを前記本体２の前方へ向けることができる。
【００４６】
したがって、前記扉３を回動させることにより、異なる展示物に容易に切り替えることができる。
【００４７】
図７および図８は本発明の他の実施形態を示すもので、前記展示用具１を壁掛け型として用いるようにしたものである。
【００４８】
すなわち、本実施形態においては、前記本体２の裏面にフック１０を取り付けるとともに、図８に示すように、壁Ｗに、前記フック１０が係合させられる係止部材１１を取り付けた構成としている。
【００４９】
本実施形態においては、前記フック１０が、前記本体２の裏面から所定間隔離間させられて、かつ、下方へ向けられた係合片１０ａを備えており、前記本体２の裏面の左右および上下に所定間隔をおいて４カ所に設けられている。
【００５０】
前記係止部材１１は、金属板の一部をプレス加工等によって形成された、上方へ開口する係止凹部１１ａを備えており、この係止凹部１１ａは前記係合片１０ａの上下方向のピッチと同一ピッチで複数設けられ、さらに、前記係止部材１１は、図９に示すように、前記壁Ｗに、前記係合片１０ａの左右のピッチと同一ピッチで取り付けられている。
【００５１】
そして、前記展示用具１は、前記本体２の前記フック１０の係合片１０ａを、前記係止部材１１の係止凹部１１ａに、その上方の開口部から挿入して係合させることによって、図９に示すように、前記壁Ｗに掛け止めされ、壁掛け型の展示用具として用いられる。
【００５２】
このような壁掛け型として用いる場合にあっても、前述した卓上型として用いる場合と同様の作用効果を得ることができる。
【００５３】
なお、前記各実施形態において示した各構成部材の諸形状や寸法等は一例であって、設計要求等に基づき種々変更可能である
【００５４】
たとえば、前記フック１０を一つとし、前記係止部材１１に単一の係止凹部１１ａを設けた構成とすることも可能であり、また、この単一の係止凹部１１ａを備えた係止部材１１を、前記壁Ｗの任意の位置に多数設けておき、前記展示用具１の掛け止め位置の多様化を図ることもできる。
【００５５】
また、図１０に示すように、前記本体２と各扉３・４との連結部を着脱可能な蝶番２０によって連結することもできる。
【００５６】
これらの蝶番２０は、前記本体２の側縁部に沿って配置され、上下方向に沿った係合孔（図示略）が形成された基部２０ａと、前記各扉３・４の側縁部に沿い、下方へ向けて取り付けられた係合ピン２０ｂとによって構成されている。
【００５７】
このように構成された蝶番２０は、前記本体２に装着されている各基部２０ａの上方に、前記各扉３・４に装着されている各係合ピン２０ｂを同軸状に対向させた後に、前記各扉３・４をそれぞれの側縁に沿って移動させることにより、前記各係合ピン２０ｂを前記各基部２０ａの係合孔へその上方から嵌合させて連結される。
また、逆の操作によって、相互に離間させられて、前記各扉３・４が前記本体２から取り外される。
【００５８】
また、前記両揺動片６を、図１１および図１２に示すように、その揺動中心側において連結片２１を介して一体化し、全体として略コ字状に形成することもできる。
この場合、前記連結片２１に、前述した係合ピン２０ｂが装着される。
【００５９】
さらに、図１２に示すように、前記扉３に設けられる枢軸８に代えてねじ軸２２を用い、このねじ軸２２を前記各揺動片６の揺動端部にその内側から嵌挿した後に、これらのねじ軸２２に前記揺動片６の外側からナット２３を螺着することによって、前記扉３を前記両揺動片６間に装着するようにすることもできる。
【００６０】
このような構成とすることにより、前記扉３を着脱容易な構成とすることができるとともに、前記ナット２３の締結力を調整することにより、前記扉３の回動を許容し、かつ、所定の回転位置に固定することが可能となる。
【００６１】
そして、前述した前記扉３の回転や固定を円滑なものとするために、前記ねじ軸２２に、前記扉３と前記揺動片６との間に介装されるワッシャー２４を装着しておくことが好ましい。
【００６２】
さらにまた、前述した係止部材１１に代えて、図１２および図１３に示す係止部材３０とすることもできる。
【００６３】
この係止部材３０は、金属プレートのプレス加工によって形成され、ねじや石膏ボード用ピンを用いて取り付けられるもので、係止機能とフック機能を併せ持つように形成されている。
【００６４】
すなわち、金属プレート３１の適宜位置に、ねじ穴３２とピン穴３３が形成されており、また、他の部位に、前述した係止機能とフック機能を併せ持つ係止部３１ａが形成されている。
【００６５】
前記係止部３１ａは、前記金属プレート３１の一部を切り離して折曲形成することによって、前記金属プレート３１の一面から所定距離立ち上げられて、前記金属プレート３１との間に係合孔Ｇを形成する基部Ｈと、この基部Ｈの一端部から、前記金属プレート３１の面と平行な面に沿うように一体に延設されたフックＦとによって構成されている。
【００６６】
このように形成された係止部材３０は、２個一組として用いられ、一方を前記壁Ｗに取り付け他方を前記本体２に取り付けて用いられる。
そして、各組の一対の係止部材３０は、それぞれ上下が逆の状態で取り付けられる。
【００６７】
すなわち、前記壁Ｗに取り付けられる前記係止部材３０は、そのフックＦを上方へ向けて取り付けられ、前記本体２に取り付けられる前記係止部材３０は、そのフックＦを下方へ向けて取り付けられる。
【００６８】
そして、前記本体２に取り付けられた係止部材３０の前記フックＦを、前記壁Ｗに取り付けられた係止部材３０の前記フックＦの上方へ位置させつつ、前記壁Ｗに取り付けられた係止部材３０の前記係合孔Ｇに対峙させ、ついで、前記本体２を下方へ移動させることにより、図１４に示すように、前記両フックＦ同士が重畳させられるとともに、さらなる前記本体２の下方への移動により、一方の前記フックＦが他方の前記係合号Ｇへ嵌合させられる。
これによって、両係止部材３０が係合状態となされ、前記本体２を前記壁Ｗへ掛け止めすることができる。
【符号の説明】
【００６９】
１  展示用具
２  本体
２ａ  開口部
３  扉
４  扉
５  蝶番
６  揺動片
７  枢軸
８  枢軸
９  支持脚
１０  フック
１０ａ  係合片
１１  係止部材
１１ａ  係止凹部
２０  蝶番
２０ａ  基部
２０ｂ  係合ピン
２１  連結片
２２  ねじ軸
２３  ナット
２４  ワッシャー
３０  係止部材
３１  金属プレート
３１ａ  係止部
３２  ねじ穴
３３  ピン穴
Ａ  収納凹部
Ｂ  表示部
Ｃ  表示部
Ｄ  表示部
Ｅ  表示部
Ｆ  フック
Ｇ  係合孔
Ｈ  基部
Ｗ  壁
【図１】
2019047964.tif 000003
【図２】
2019047964.tif 000004
【図３】
2019047964.tif 000005
【図４】
2019047964.tif 000006
【図５】
2019047964.tif 000007
【図６】
2019047964.tif 000008
【図７】
2019047964.tif 000009
【図８】
2019047964.tif 000010
【図９】
2019047964.tif 000011
【図１０】
2019047964.tif 000012
【図１１】
2019047964.tif 000013
【図１２】
2019047964.tif 000014
【図１３】
2019047964.tif 000015
【図１４】
2019047964.tif 000016